(57)【要約】【課題】効果的な注意喚起を行うことができる空調システムを提供する。【解決手段】室外機３１と、複数の室内機４１と、複数のリモートコントローラー５１と、を備えた空調システム１であって、複数のリモートコントローラー５１の少なくとも２つ以上は、隣接して配置され、複数のリモートコントローラー５１のそれぞれは、予め設定された点滅タイミングに基づいて点滅する表示部（ＬＥＤ）１４４と、表示部（ＬＥＤ）１４４を制御する制御部１４７と、を備え、複数のリモートコントローラー５１のそれぞれに、第２の信号として、点滅タイミングの補正トリガとなる補正信号が伝送され、制御部１４７は、補正信号を受信した場合、点滅タイミングを補正するものである。【選択図】図４
2014228259.tif 000002
【特許請求の範囲】
【請求項１】
室外機と、
前記室外機との間で、通信線を介して、第１の信号を送受信する複数の室内機と、
前記複数の室内機との間で、前記通信線を介して、第２の信号を送受信する複数のリモートコントローラーと、
を備えた空調システムであって、
前記複数のリモートコントローラーの少なくとも２つ以上は、隣接して配置され、
前記複数のリモートコントローラーのそれぞれは、
予め設定された点滅タイミングに基づいて点滅する表示部と、
前記表示部を制御する制御部と、
を備え、
前記複数のリモートコントローラーのそれぞれに、前記第２の信号として、前記点滅タイミングの補正トリガとなる補正信号が伝送され、
前記制御部は、
前記補正信号を受信した場合、前記点滅タイミングを補正する
ことを特徴とする空調システム。
【請求項２】
前記制御部は、
前記補正信号として、前記複数の室内機の何れかから、前記室外機との間の通信異常を示すデータが含まれる異常通報を受信した場合、前記点滅タイミングとして設定されている前記表示部の点滅タイマーをリセットする
ことを特徴とする請求項１に記載の空調システム。
【請求項３】
前記制御部は、
前記異常通報を受信時に、前記表示部の点滅タイマーが起動中である場合、前記表示部の点滅タイマーをリセットする
ことを特徴とする請求項２に記載の空調システム。
【請求項４】
前記室外機と、前記複数の室内機とを管理する集中管理コントローラーを備え、
前記制御部は、
前記表示部の点滅タイマーが、前記点滅タイミングとして設定され、
前記補正信号として、前記集中管理コントローラーから、前記表示部の点滅タイマーをリセットする点滅タイマーリセット信号を受信した場合、前記表示部の点滅タイマーをリセットする
ことを特徴とする請求項１に記載の空調システム。
【請求項５】
前記集中管理コントローラーは、
前記複数の室内機の何れかが、前記室外機との間の通信異常を示すデータが含まれる異常通報を前記通信線に流したことを検出した場合、前記点滅タイマーリセット信号を前記複数のリモートコントローラーのそれぞれに送信する
ことを特徴とする請求項４に記載の空調システム。
【請求項６】
前記室外機と、前記複数の室内機とを管理する集中管理コントローラーを備え、
前記制御部は、
現在時刻に基づいて、前記点滅タイミングを生成し、
前記補正信号として、前記集中管理コントローラーから、前記現在時刻を補正する時刻通報を受信した場合、前記時刻通報に基づいて、前記現在時刻を補正する
ことを特徴とする請求項１に記載の空調システム。
【請求項７】
前記制御部は、
前記現在時刻の秒数が、奇数秒の場合、前記表示部を点灯させ、
前記現在時刻の秒数が、偶数秒の場合、前記表示部を消灯させる
ことを特徴とする請求項６に記載の空調システム。
【請求項８】
前記制御部は、
前記現在時刻の秒数が、偶数秒の場合、前記表示部を点灯させ、
前記現在時刻の秒数が、奇数秒の場合、前記表示部を消灯させる
ことを特徴とする請求項６に記載の空調システム。
【請求項９】
前記制御部は、
前記現在時刻に同期して定まる第１設定間隔と、前記現在時刻に同期して定まる第２設定間隔と、を設定し、
第１設定間隔と、第２設定間隔とを交互に繰り返させ、
前記第１設定間隔だけ前記表示部を点灯させ、
前記第２設定間隔だけ前記表示部を消灯させる
ことを特徴とする請求項６に記載の空調システム。
【請求項１０】
前記集中管理コントローラーは、
予め設定された通報周期に基づいて、前記複数のリモートコントローラーのそれぞれに、前記時刻通報を送信する
ことを特徴とする請求項６〜９の何れか一項に記載の空調システム。
【請求項１１】
前記複数の室内機のそれぞれは、
前記室外機との間で、前記第１の信号の送受信が実行されない場合、前記通信線で通信の異常があると判断し、前記複数のリモートコントローラーのそれぞれに、前記室外機との間の通信異常を示すデータが含まれる異常通報を送信する
ことを特徴とする請求項２〜１０の何れか一項に記載の空調システム。
【発明の詳細な説明】
【技術分野】
【０００１】
本発明は、空調システムに関する。
【背景技術】
【０００２】
従来、壁に設けられ、空調システム内で異常が発生した場合、ＬＥＤ（Ｌｉｇｈｔ  Ｅｍｉｔｔｉｎｇ  Ｄｉｏｄｅ）を点滅させることで、ユーザーに注意を喚起させるリモートコントローラーがあった（例えば、特許文献１参照）。
【先行技術文献】
【特許文献】
【０００３】
【特許文献１】特開２０１２−２３６４号公報（段落［００３３］）
【発明の概要】
【発明が解決しようとする課題】
【０００４】
例えば、空調システムは、１台の室外機と、複数の室内機とを備え、室内機のそれぞれと、各空調エリアの温度が設定されるリモートコントローラーと、室外機とが通信することで、各空調エリアの空気調和が行われる。
【０００５】
よって、空調システム内において、通信異常が発生すると、各室内機と、室外機と、リモートコントローラーとの間で通信が行われなくなるため、空調システムの運転制御が実行できなくなる。そこで、特許文献１に記載のリモートコントローラーは、空調システム内で通信異常が発生すると、リモートコントローラーに設けられた表示装置、例えば、任意のＬＥＤを点滅することで、ユーザーに通信異常が発生している旨を報知している。
【０００６】
具体的には、各室内機は、空調エリア毎に担当が割り当てられ、グループ編成されている。そのような室内機は、室外機との間で通信異常を検出すると、同一のグループに設定されたリモートコントローラーに異常通報を送信する。リモートコントローラーは、対応する室内機から異常通報を受信することで、リモートコントローラーの動作クロックと同期して動作するＬＥＤ点滅タイマーを作動させ、一定の周期でＬＥＤを点滅させる制御を行っている。
【０００７】
さらに、別の室内機が、同一の室外機との間の通信異常を検出した場合を想定する。この場合、その別の室内機は、自機と同一グループに設定されたリモートコントローラーに異常通報を送信する。
【０００８】
この結果、各リモートコントローラーには、異常通報が送信され、それぞれがＬＥＤを点滅させる。ここで、各リモートコントローラーが事務所の出入口又は飲食店のレジの後方側等に設けられていれば、それらのリモートコントローラーは、一箇所に集中して設置されることになる。この場合、各リモートコントローラーのＬＥＤの点滅開始タイミングが合っていなければ、各リモートコントローラーのＬＥＤは非同期に点滅するため、効果的な注意喚起を行うことができないという問題点があった。
【０００９】
換言すれば、複数のリモートコントローラーのそれぞれが補正トリガとなる補正信号を受信した場合に、ＬＥＤの点滅周期が一致していないため、効果的な注意喚起を行うことができないという問題点があった。
【００１０】
本発明は、上記のような問題点を解決するためになされたもので、複数のリモートコントローラーのそれぞれが補正トリガとなる補正信号を受信した場合に、ＬＥＤの点滅周期を一致させることで効果的な注意喚起を行うことができる空調システムを提供することを目的とするものである。
【課題を解決するための手段】
【００１１】
本発明に係る空調システムは、室外機と、前記室外機との間で、通信線を介して、第１の信号を送受信する複数の室内機と、前記複数の室内機との間で、前記通信線を介して、第２の信号を送受信する複数のリモートコントローラーと、を備えた空調システムであって、前記複数のリモートコントローラーの少なくとも２つ以上は、隣接して配置され、前記複数のリモートコントローラーのそれぞれは、予め設定された点滅タイミングに基づいて点滅する表示部と、前記表示部を制御する制御部と、を備え、前記複数のリモートコントローラーのそれぞれに、前記第２の信号として、前記点滅タイミングの補正トリガとなる補正信号が伝送され、前記制御部は、前記補正信号を受信した場合、前記点滅タイミングを補正するものである。
【発明の効果】
【００１２】
本発明は、空調システム内に設置されているリモートコントローラーのＬＥＤの点滅タイミングを同期させることができる。よって、本発明は、複数のリモートコントローラーのそれぞれが補正トリガとなる補正信号を受信した場合に、ＬＥＤの点滅周期を一致させることで効果的な注意喚起を行うことができる空調システムを提供することができるという効果を有する。
【図面の簡単な説明】
【００１３】
【図１】本発明の実施の形態１における空調システム１の概略構成の一例を示す図である。
【図２】本発明の実施の形態１におけるフロア１１を天井から俯瞰した空調エリアの一例を示す図である。
【図３】本発明の実施の形態１におけるリモートコントローラー設置場所１２１の一例を示す図である。
【図４】本発明の実施の形態１におけるリモートコントローラー５１等の内部構成の一例を示す図である。
【図５】本発明の実施の形態１における制御部１４７の機能構成の一例を示す図である。
【図６】本発明の実施の形態１における空調システム１内の各空調機器の通信開始タイミングの一例を示す図である。
【図７】本発明の実施の形態１における空調システム１内の通信異常の検出動作例を説明するタイミングチャートである。
【図８】本発明の実施の形態１における空調システム１の動作例を説明するフローチャートである。
【図９】本発明の実施の形態２における空調システム１の概略構成の一例を示す図である。
【図１０】本発明の実施の形態２における制御部１４７の機能構成の一例を示す図である。
【図１１】本発明の実施の形態２における空調システム１の動作例を説明するフローチャートである。
【図１２】本発明の実施の形態３における制御部１４７の機能構成の一例を示す図である。
【図１３】本発明の実施の形態３における空調システム１の動作例を説明するフローチャートである。
【発明を実施するための形態】
【００１４】
以下、本発明の実施の形態について、図面を用いて詳細に説明する。なお、本発明の実施の形態１〜３の動作を行うプログラムを記述するステップは、記載された順序に沿って時系列に行われる処理であるが、必ずしも時系列に処理されなくても、並列的又は個別に実行される処理をも含んでもよい。
【００１５】
また、本実施の形態１〜３で説明される各機能をハードウェアで実現するか、ソフトウェアで実現するかは問わない。つまり、本実施の形態１〜３で説明される各ブロック図は、ハードウェアのブロック図と考えても、ソフトウェアの機能ブロック図と考えてもよい。例えば、各ブロック図は、回路デバイス等のハードウェアで実現されてもよく、図示しないプロセッサ等の演算装置上で実行されるソフトウェアで実現されてもよい。
【００１６】
また、本実施の形態１〜３で説明されるブロック図の各ブロックは、その機能が実施されればよく、それらの各ブロックで構成が分離されなくてもよい。
【００１７】
なお、本実施の形態１〜３のそれぞれにおいて、特に記述しない項目については実施の形態１〜３と同様とし、同一の機能及び構成については同一の符号を用いて述べることとする。
【００１８】
また、本実施の形態１〜３は、単独で実施されてもよく、組み合わせて実施されてもよい。いずれの場合においても、下記で説明する有利な効果を奏することとなる。
【００１９】
また、本実施の形態１〜３のそれぞれで説明する各種値及びフラグ等の設定例は一例を示すだけであり、特にこれらに限定しない。
【００２０】
また、本実施の形態１〜３における冷媒回路等の説明については省略する。
【００２１】
実施の形態１．
図１は、本発明の実施の形態１における空調システム１の概略構成の一例を示す図である。まず、空調システム１の概要について説明する。図１に示すように、空調システム１は、室外機３１と、室内機４１ａ〜室内機４１ｈと、リモートコントローラー５１ａ〜リモートコントローラー５１ｄとを備えている。空調システム１は、室外機３１と、室内機４１ａ〜室内機４１ｈと、リモートコントローラー５１ａ〜リモートコントローラー５１ｄとが、つまり、それぞれの空調機器が、通信線７１を介して接続されている。
【００２２】
なお、室内機４１ａ〜室内機４１ｈのそれぞれを特に区別しない場合、室内機４１と称する。また、リモートコントローラー５１ａ〜リモートコントローラー５１ｄのそれぞれを特に区別しない場合、リモートコントローラー５１と称する。
【００２３】
空調システム１では、室外機３１、室内機４１、及びリモートコントローラー５１のそれぞれをネットワーク上で識別させるアドレスがそれぞれの空調機器に設定されている。例えば、通信線７１を介して、室内機４１からリモートコントローラー５１へ各種情報が送信される場合、室内機４１は、例えば、少なくとも、送信内容と、その送信内容の送信先であるリモートコントローラー５１の宛先アドレスと、を含めた通信フレームを作成し、通信線７１上に流している。よって、通常であれば、リモートコントローラー５１は、受信した通信フレームのうち、自機宛の宛先アドレスが含まれる通信フレームを取得し、他機宛の宛先アドレスが含まれる通信フレームを破棄することになる。
【００２４】
しかし、空調システム１においては、リモートコントローラー５１は、他機宛の宛先アドレスが含まれる通信フレームも取得している。つまり、リモートコントローラー５１は、宛先アドレスにかかわらず、受信した通信フレームを取得し、取得した通信フレームに含まれる送信内容を解読し、解読した送信内容を実行している。
【００２５】
ところで、リモートコントローラー５１は、ＬＥＤ（Ｌｉｇｈｔ  Ｅｍｉｔｔｉｎｇ  Ｄｉｏｄｅ）点滅タイマー１４６（後述する）を備えている。そこで、例えば、上記で説明した送信内容が、通信線７１に関する通信異常を示す異常通報であると想定する。この場合、リモートコントローラー５１は、その都度、後述する表示部（ＬＥＤ）１４４の点滅タイミングを規定するＬＥＤ点滅タイマー１４６（後述する）をリセットする。この結果、空調システム１は、自機宛の異常通報を受信したリモートコントローラー５１の点滅タイミングと、他機宛の異常通報を受信したリモートコントローラー５１の点滅タイミングとを同期させることができる。
【００２６】
次に、空調システム１の詳細について順に説明する。図１に示すように、空調システム１は、室外機３１をフロア１１外に設け、室内機４１と、リモートコントローラー５１とをフロア１１内に設けている。フロア１１は、例えば、建物に含まれる各階の床部分のうち、任意の階の床部分である。フロア１１には、空調対象空間毎に空調エリアが割り当てられており、例えば、第１グループ２１と、第２グループ２２と、第３グループ２３と、第４グループ２４と、各空調エリアとが紐付けされている。
【００２７】
例えば、第１グループ２１には、リモートコントローラー５１ａと、室内機４１ａ〜室内機４１ｃとが割り当てられている。また、例えば、第２グループ２２には、リモートコントローラー５１ｂと、室内機４１ｄとが割り当てられている。また、例えば、第３グループ２３には、リモートコントローラー５１ｃと、室内機４１ｅと、室内機４１ｆとが割り当てられている。また、例えば、第４グループ２４には、リモートコントローラー５１ｄと、室内機４１ｇと、室内機４１ｈとが割り当てられている。
【００２８】
要するに、空調システム１は、１台の室外機３１と、８台の室内機４１と、４台のリモートコントローラー５１とが、通信線７１を介して、接続されたシステム構成となっている。つまり、空調システム１においては、８台の室内機４１が１台の室外機３１を共有している。また、室内機４１ａ〜室内機４１ｃは、リモートコントローラー５１ａで各種設定が変更される構成となっている。また、室内機４１ｄは、リモートコントローラー５１ｂで各種設定が変更される構成となっている。また、室内機４１ｅ及び室内機４１ｆは、リモートコントローラー５１ｃで各種設定が変更される構成となっている。また、室内機４１ｇ及び室内機４１ｈは、リモートコントローラー５１ｄで各種設定が変更される構成となっている。
【００２９】
図２は、本発明の実施の形態１におけるフロア１１を天井から俯瞰した空調エリアの一例を示す図である。図２に示すように、フロア１１には、第１空調エリア１０１、第２空調エリア１０２、第３空調エリア１０３、及び第４空調エリア１０４が設定されている。第１空調エリア１０１には、第１グループ２１が割り当てられている。第２空調エリア１０２には、第２グループ２２が割り当てられている。第３空調エリア１０３には、第３グループ２３が割り当てられている。第４空調エリア１０４には、第４グループ２４が割り当てられている。また、第１空調エリア１０１には、フロア１１の出入口１１１と、リモートコントローラー５１ａ〜リモートコントローラー５１ｄの設置場所であるリモートコントローラー設置場所１２１とが設けられている。
【００３０】
図３は、本発明の実施の形態１におけるリモートコントローラー設置場所１２１の一例を示す図である。図３に示すように、リモートコントローラー設置場所１２１には、リモートコントローラー５１ａと、リモートコントローラー５１ｂと、リモートコントローラー５１ｃと、リモートコントローラー５１ｄとが一定の間隔で集中配置されている。図３に示すように、リモートコントローラー設置場所１２１は、出入口１１１のそばに設けられている。また、例えば、飲食店等がフロア１１で営業されていれば、レジの後ろ側が、リモートコントローラー設置場所１２１となる場合もある。
【００３１】
いずれにしても、リモートコントローラー設置場所１２１は、複数台のリモートコントローラー５１を一箇所に集中設置させている。よって、複数台のリモートコントローラー５１のそれぞれが、後述する表示部（ＬＥＤ）１４４を別々の点滅タイミングで点滅させると、効果的な注意喚起をすることができなくなる。そこで、複数台のリモートコントローラー５１のそれぞれの点滅タイミングを同期させる制御について、図４〜図８を用いて順に説明する。
【００３２】
なお、図１〜図３を用いて説明した各空調機器の配置構成、設置台数、及び接続構成等は一例を示すだけであって、特にこれらに限定しない。例えば、複数台のリモートコントローラー５１が一箇所に集中配置されている一例について説明したが、同一システム内で使用される全てのリモートコントローラー５１を一箇所に配置させる必要はない。例えば、少なくとも２台以上のリモートコントローラー５１が、一箇所に、つまり、隣接して配置されている場合に、後述する同期処理が適用されることで、効果的な注意喚起をすることができる。要するに、室外機３１と、室内機４１とが連係して動作し、リモートコントローラー５１で室内機４１の設定が変更される空調システム１であればよい。
【００３３】
図４は、本発明の実施の形態１におけるリモートコントローラー５１等の内部構成の一例を示す図である。図４に示すように、リモートコントローラー５１は、操作部１４１と、通信回路部１４２と、表示部（液晶）１４３と、表示部（ＬＥＤ）１４４と、水晶振動子１４５と、ＬＥＤ点滅タイマー１４６と、制御部１４７と、記憶部１４８とを備えている。また、室内機４１は、通信回路部１５１を備えている。また、室外機３１は、通信回路部１５３を備えている。
【００３４】
操作部１４１は、ユーザーの指令が入力される入力デバイスである。操作部１４１は、例えば、各種ボタンで構成され、各種ボタンがユーザーに押下されることで、各種ボタンと紐付けられている指令内容に対応するコードが制御部１４７に供給される。また、操作部１４１は、リモートコントローラー５１の入出力デバイスがタッチパネルディスプレイで構成されている場合には、位置入力装置で構成される。この場合には、操作部１４１は、各位置に表示される操作子がユーザーに操作されることで、操作子と紐付けられている指令内容に対応するコードが制御部１４７に供給される。
【００３５】
通信回路部１４２は、通信線７１に接続されている各空調機器と通信する通信デバイスである。通信回路部１４２は、通信線７１上を流れている通信フレーム等を受信し、受信した通信フレーム等を制御部１４７の処理に適した形式に変換し、変換したものを通信データとして制御部１４７に供給する。通信データは、例えば、送信内容である各種データと、送信先であるリモートコントローラー５１の宛先アドレスとが含まれている。また、通信回路部１４２は、制御部１４７の各種処理の結果が供給された場合には、通信線７１上の通信に適した形式に変換し、通信線７１に変換したものを供給する。なお、通信線７１は、一例として、有線で構成される通信媒体ついて説明しているが、無線で構成される通信媒体であってもよい。
【００３６】
通信回路部１５１及び通信回路部１５３については、通信回路部１４２と同様の機能が実装されているため、ここではその説明については省略する。なお、通信回路部１４２と、通信回路部１５１と、通信回路部１５３とは、通信線７１を介して、通信フレーム等で形成されるような各種信号を送受信することができる。
【００３７】
表示部（液晶）１４３は、ユーザーの指令内容と、空調システム１内の各空調機器に関する情報、例えば、室内機４１の設定内容等とを表示する出力デバイスである。表示部（液晶）１４３は、例えば、液晶ディスプレイで構成され、制御部１４７から供給される各種情報を表示する。表示部（ＬＥＤ）１４４は、例えば、空調システム１に異常が発生したことを報知する出力デバイスである。表示部（ＬＥＤ）１４４は、例えば、複数のＬＥＤで構成され、報知内容に応じて、複数のＬＥＤの発光時間を調整する。
【００３８】
具体的には、表示部（液晶）１４３は、室内機４１の設定温度及び各空調エリアの室温情報に加え、異常検出時に異常内容を特定するための異常コード等が表示される。なお、異常コードに関連して、異常発生元、冷媒アドレス、及び製造番号等が表示されてもよい。また、異常コードに関連して、異常内容の詳細情報が紐付けされているＵＲＬ（Ｕｎｉｆｏｒｍ  Ｒｅｓｏｕｒｃｅ  Ｌｏｃａｔｏｒ）等が表示されてもよい。また、そのようなＵＲＬが直接表示されるのではなく、ＱＲコード（登録商標）が表示されてもよい。なお、各種異常内容が表示される際の文字のフォント等及び色彩等については特に限定されない。各種異常内容が文字情報でなく、ポンチ絵等のような一目で直感的に把握できるもので表示されてもよい。
【００３９】
一方、表示部（ＬＥＤ）１４４は、制御部１４７で制御されるＬＥＤ点滅タイマー１４６から供給される各種信号に応じて、点灯状態、消灯状態、及び点滅状態となるように、複数のＬＥＤの発光時間が調整される。なお、表示部（ＬＥＤ）１４４は、複数のＬＥＤのような発光素子から構成される一例について説明したが、特にこれに限定されない。
【００４０】
例えば、表示部（ＬＥＤ）１４４の機能が、表示部（液晶）１４３に組み込まれていてもよい。つまり、表示部（ＬＥＤ）１４４は、空調システム１に異常が発生したことを報知できればよく、その実装形態については特に限定されない。例えば、表示で通信異常の発生が報知されるだけでなく、音声で通信異常の発生が報知されてもよい。また、例えば、表示部（ＬＥＤ）１４４が作動する際に、点滅時に、時間の経過に応じて、点滅タイミングが変わったり、発光素子の輝度が変わったりしてもよい。なお、表示部（ＬＥＤ）１４４は、本発明における表示部に相当する。
【００４１】
水晶振動子１４５は、水晶の圧電効果を利用して、特定の周波数を発振する素子である。水晶振動子１４５は、発振した特定の周波数を制御部１４７に供給する。ＬＥＤ点滅タイマー１４６は、表示部（ＬＥＤ）１４４の発光時間を調整するために、制御部１４７で制御される点滅周期に応じて、表示部（ＬＥＤ）１４４に発光指令を供給する。
【００４２】
例えば、制御部１４７からＬＥＤ点滅タイマー１４６に作動指令、例えば、開始指令が供給されると、ＬＥＤ点滅タイマー１４６は、作動を開始して表示部（ＬＥＤ）１４４の発光を開始させ、表示部（ＬＥＤ）１４４の発光を開始させてから表示部（ＬＥＤ）１４４の発光時間をカウントし、予め設定された時間、例えば、点灯０．５秒及び消灯０．５秒となるように表示部（ＬＥＤ）１４４を制御している。なお、上記で説明した点灯時間及び消灯時間については一例を示すだけであって、特にこれらに限定されない。
【００４３】
また、制御部１４７からＬＥＤ点滅タイマー１４６に作動指令、例えば、リセット指令が供給されると、ＬＥＤ点滅タイマー１４６は、カウントしている時間をリセットし、再度、表示部（ＬＥＤ）１４４の発光を開始させる。また、制御部１４７からＬＥＤ点滅タイマー１４６に作動指令、例えば、停止指令が供給されると、ＬＥＤ点滅タイマー１４６は、時間のカウントを停止し、表示部（ＬＥＤ）１４４の駆動を停止させ、表示部（ＬＥＤ）１４４を消灯させる。
【００４４】
なお、上記の説明では、ＬＥＤ点滅タイマー１４６が表示部（ＬＥＤ）１４４の駆動を制御する一例について説明したが、特にこれに限定されない。例えば、ＬＥＤ点滅タイマー１４６には、時間のカウントだけを実行させ、制御部１４７が表示部（ＬＥＤ）１４４の駆動を制御してもよい。また、ＬＥＤ点滅タイマー１４６の機能が制御部１４７に組み込まれ、制御部１４７が直接的に表示部（ＬＥＤ）１４４の点滅タイミングを制御してもよい。いずれにしろ、リモートコントローラー５１が表示部（ＬＥＤ）１４４の点滅タイミングを制御する機能を備えていればよく、その実装形態については特に限定されない。なお、ＬＥＤ点滅タイマー１４６は、本発明における点滅タイマーに相当する。
【００４５】
制御部１４７は、リモートコントローラー５１全体を統括制御するものであり、水晶振動子１４５から供給される特定の周波数に同期して動作する。制御部１４７は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及びＣＰＵ（Ｃｅｎｔｒａｌ  Ｐｒｏｃｅｓｓｉｎｇ  Ｕｎｉｔ）等から構成される。記憶部１４８は、リモートコントローラー５１で使用される各種コード等が予め記憶され、また、リモートコントローラー５１の動作に応じて、各種情報、例えば、通信回路部１４２を介して取得した設定温度等が記憶される。
【００４６】
図５は、本発明の実施の形態１における制御部１４７の機能構成の一例を示す図である。制御部１４７は、アドレス判定部２０１、異常通報判定部２０３、ＬＥＤ点滅タイマー起動判定部２０５、ＬＥＤ点滅タイマー制御部２０７、及び異常内容特定部２０９等を備えている。
【００４７】
アドレス判定部２０１は、通信データから宛先アドレスを抽出し、抽出した宛先アドレスが自機宛及び他機宛の何れであるかを判定する。アドレス判定部２０１は、抽出した宛先アドレスが自機宛である場合、その旨を、例えば、１が設定された自機フラグをＬＥＤ点滅タイマー制御部２０７に供給する。アドレス判定部２０１は、抽出した宛先アドレスが他機宛である場合、その旨を、例えば、１が設定された他機フラグをＬＥＤ点滅タイマー制御部２０７に供給する。
【００４８】
異常通報判定部２０３は、通信データから送信内容を抽出し、抽出した送信内容が異常通報であるか否かを判定する。異常通報判定部２０３は、抽出した送信内容が異常通報である場合、その旨を、例えば、１が設定された異常フラグを、ＬＥＤ点滅タイマー起動判定部２０５と、異常内容特定部２０９とにそれぞれ供給する。
【００４９】
ＬＥＤ点滅タイマー起動判定部２０５は、通信データから抽出された送信内容が異常通報である場合に、ＬＥＤ点滅タイマー制御部２０７に起動判定指令を供給し、ＬＥＤ点滅タイマー制御部２０７から起動判定応答が供給されることで、ＬＥＤ点滅タイマー１４６の起動を判定する。ＬＥＤ点滅タイマー起動判定部２０５は、ＬＥＤ点滅タイマー１４６が起動中である場合、その旨を、例えば、１が設定された起動フラグをＬＥＤ点滅タイマー制御部２０７に供給する。なお、ＬＥＤ点滅タイマー起動判定部２０５は、直接的にＬＥＤ点滅タイマー１４６に起動判定指令を要求してもよい。
【００５０】
ＬＥＤ点滅タイマー制御部２０７は、ＬＥＤ点滅タイマー１４６が起動中であるか否かを判定する。例えば、ＬＥＤ点滅タイマー制御部２０７は、ＬＥＤ点滅タイマー起動判定部２０５から起動判定指令が供給された場合、ＬＥＤ点滅タイマー１４６に起動判定指令を要求し、ＬＥＤ点滅タイマー１４６から起動判定データを受信後、ＬＥＤ点滅タイマー起動判定部２０５に起動判定応答を供給する。
【００５１】
ＬＥＤ点滅タイマー制御部２０７は、通信データに含まれる宛先アドレスが自機宛であって、通信データに含まれる送信内容が異常通報、つまり、通信データに異常通報が含まれ、自機のＬＥＤ点滅タイマー１４６が起動中でなければ、ＬＥＤ点滅タイマー１４６にＬＥＤ点滅タイマー１４６を作動させることで、表示部（ＬＥＤ）１４４、つまり、ＬＥＤの点滅を開始させる開始指令を自機のＬＥＤ点滅タイマー１４６に供給する。
【００５２】
例えば、ＬＥＤ点滅タイマー制御部２０７は、上記で説明した各種フラグ、具体的には、自機フラグが１であって、異常フラグが１であって、起動フラグが１でない場合には、ＬＥＤの点滅を開始させる開始指令を自機のＬＥＤ点滅タイマー１４６に供給する。
【００５３】
一方、ＬＥＤ点滅タイマー制御部２０７は、通信データに含まれる宛先アドレスが他機宛であって、通信データに含まれる送信内容が異常通報、つまり、通信データに異常通報が含まれ、自機のＬＥＤ点滅タイマー１４６が起動中であれば、ＬＥＤ点滅タイマー１４６にＬＥＤ点滅タイマー１４６をリセットさせるリセット指令を自機のＬＥＤ点滅タイマー１４６に供給する。
【００５４】
例えば、ＬＥＤ点滅タイマー制御部２０７は、上記で説明した各種フラグ、具体的には、他機フラグが１であって、異常フラグが１であって、起動フラグが１である場合には、ＬＥＤ点滅タイマー１４６をリセットさせるリセット指令を自機のＬＥＤ点滅タイマー１４６に供給する。
【００５５】
ＬＥＤ点滅タイマー制御部２０７は、操作部１４１等を介して、異常解除指令が供給された場合、ＬＥＤ点滅タイマー１４６に停止指令を供給する。
【００５６】
異常内容特定部２０９は、通信データから抽出された送信内容が異常通報である場合に、その異常通報の種類を特定し、特定した異常通報の種類に応じて、異常コードを選択し、選択した異常コードに基づいて、異常コード表示指令を表示部（液晶）１４３に供給する。異常コードは記憶部１４８に記憶させておき、記憶部１４８から取得してもよく、制御部１４７の構成要素であるＲＯＭ等の記憶素子に記憶させておき、そのＲＯＭ等の記憶部素子から取得してもよい。異常内容特定部２０９は、通信データから抽出された送信内容が異常通報であるか否かについては、例えば、異常通報判定部２０３から供給される異常フラグで判定する。なお、異常内容特定部２０９に直接的に通信データが供給され、異常内容特定部２０９で、通信データに含まれる送信内容が異常通報であるか否かを判定してもよい。
【００５７】
なお、上記で説明した各種フラグは一例を示すだけであって、特にこれらに限定されない。また、通信データが、アドレス判定部２０１と、異常通報判定部２０３とにそれぞれ供給される一例について説明したが、特にこれに限定されない。例えば、アドレス判定部２０１に通信データが供給され、アドレス判定部２０１では宛先アドレスが抽出され、その通信データをアドレス判定部２０１から異常通報判定部２０３に供給し、異常通報判定部２０３では送信内容が抽出され、上記で説明した処理が実行されてもよい。
【００５８】
次に、空調システム１で規定されている通信プロトコルの一例について図６及び図７を用いて説明する。図６は、本発明の実施の形態１における空調システム１内の各空調機器の通信開始タイミングの一例を示す図である。図６に示すように、通信線７１に接続されている各種空調機器、例えば、室外機３１、室内機４１、及びリモートコントローラー５１のそれぞれには、自機の送信禁止状態と、自機の送信許可状態とが規定されている。
【００５９】
例えば、通信線７１に接続されている室外機３１、室内機４１、及びリモートコントローラー５１のそれぞれは、通信線７１上の通信データが、自機以外の通信データである場合、送信禁止状態となる。
【００６０】
具体的には、通信線７１に接続されている室外機３１、室内機４１、及びリモートコントローラー５１のそれぞれは、他機、例えば、他の空調機器が通信線７１に出力した通信データを受信すると、送信禁止状態が設定され、新たな送信を開始できない状態に遷移する。一方、通信線７１に接続されている室外機３１、室内機４１、及びリモートコントローラー５１のそれぞれは、他機、例えば、他の空調機器の通信データの出力が終了し、通信線７１上に通信データが出力されていない状態が、予め設定された送信禁止期間、例えば、３．４ｍｓｅｃ続いた場合には、各空調機器は、送信禁止状態を解除し、送信許可状態に遷移する。なお、上記で説明した送信禁止期間は一例を示すだけであって、特にこれに限定されない。
【００６１】
要するに、通信線７１上に同一タイミングで複数の通信データが混在することがないように通信プロトコルが規定されている。よって、複数のリモートコントローラー５１のそれぞれは、送信元が異なる場合であっても、通信線７１を介して、各種送信内容が含まれる通信データを途中で消失されることなく受信する。
【００６２】
図７は、本発明の実施の形態１における空調システム１内の通信異常の検出動作例を説明するタイミングチャートである。図７に示す例では、空調システム１において、例えば、室外機３１に設けられている通信回路部１５３で故障が生じ、室外機３１と、室内機４１ａとの間で通信ができなくなる場合を想定している。
【００６３】
例えば、リモートコントローラー５１ａは、室内機４１ａに運転モード切替要求を行う。次に、室内機４１ａは、リモートコントローラー５１ａに運転モード切替応答を返す。次に、室内機４１ａは、リモートコントローラー５１ａからの運転モード切替要求に応じるため、室外機３１に室外機運転制御を行う。室外機３１は、室内機４１ａからの室外機運転制御に対し、室外機運転制御応答を行い、自機である室外機３１の運転を室内機４１ａの要求に応じる。この結果、リモートコントローラー５１ａからの運転モード切替要求が反映され、空調システム１は、リモートコントローラー５１ａの設定内容に応じて、第１空調エリア１０１の空気調和を行う。
【００６４】
上記で説明したように、室外機３１と、室内機４１ａと、リモートコントローラー５１ａとの間で、通信線７１を介して、通信データの送受信を行うことができる状態であれば、通信は正常である。次いで、リモートコントローラー５１ａは、室内機４１ａに運転モード切替要求を行う。次に、室内機４１ａは、リモートコントローラー５１ａに運転モード切替応答を返す。次に、室内機４１ａは、リモートコントローラー５１ａからの運転モード切替要求に応じるため、室外機３１に室外機運転制御を行う。
【００６５】
このとき、室外機３１に設けられている通信回路部１５３が故障したとする。通信回路部１５３が故障しているため、室外機３１は、室内機４１ａからの要求通信に応じて、応答通信を送信することができなくなっている。よって、室内機４１ａには、室外機３１からの応答通信が送信されなくなるため、室内機４１ａは、室外機３１からの応答待ち状態に遷移する。室内機４１ａは、応答待ち状態が、予め設定された応答待ち時間、例えば、１０ｓｅｃ経過すると、再度、室外機３１に要求通信を実行する。なお、上記で説明した応答待ち時間は一例であって、特にこれに限定されない。
【００６６】
この後、予め設定された再送回数に再度の要求通信の回数が達した場合であっても、室外機３１から室内機４１ａに応答通信がなければ、室内機４１ａは、通信異常を検出する。次に、室内機４１ａは、ユーザーに異常が生じていることを報知するために、通信線７１を介して、同一グループである第１グループ２１に設定されているリモートコントローラー５１ａに異常通報を送信する。
【００６７】
また、室外機３１と、室内機４１ｂ〜室内機４１ｈの何れかとが通信できなくなった場合についても、室内機４１ｂ〜室内機４１ｈのそれぞれは、自機と同一グループに設定されているリモートコントローラー５１に異常通報を送信する。
【００６８】
例えば、室内機４１ｃが通信異常を検出した場合には、室内機４１ｃは、リモートコントローラー５１ａに異常通報を送信する。また、室内機４１ｈが通信異常を検出した場合には、室内機４１ｈは、リモートコントローラー５１ｄに異常通報を送信する。何れの場合においても、室内機４１ａ〜室内機４１ｈの何れかが通信異常を検出した場合には、同一のグループのリモートコントローラー５１に異常通報が送信されるが、上記で説明したように、通信線７１上に流れている異常通報は、リモートコントローラー５１ａ〜リモートコントローラー５１ｄの何れであっても受信できるため、詳細については後述するが、各リモートコントローラー５１の点滅タイミングを同期する処理をすることができるのである。
【００６９】
図８は、本発明の実施の形態１における空調システム１の動作例を説明するフローチャートである。
【００７０】
（室内機４１の異常通報処理）
（ステップＳ１１）
室内機４１は、通信異常を検出したか否かを判定する。室内機４１は、通信異常を検出した場合、ステップＳ１２に進む。一方、室内機４１は、通信異常を検出しない場合、ステップＳ１１に戻る。
【００７１】
（ステップＳ１２）
室内機４１は、異常通報を含めた通信データを送信し、処理を終了する。
【００７２】
（リモートコントローラー５１の制御処理）
（ステップＳ３１）
リモートコントローラー５１は、通信データを受信したか否かを判定する。リモートコントローラー５１は、通信データを受信した場合、ステップＳ３２に進む。一方、リモートコントローラー５１は、通信データを受信しない場合、ステップＳ３１に戻る。
【００７３】
（ステップＳ３２）
リモートコントローラー５１は、通信データに設定された宛先アドレスが自機宛であるか否かを判定する。リモートコントローラー５１は、通信データに設定された宛先アドレスが自機宛である場合、ステップＳ３３に進む。一方、リモートコントローラー５１は、通信データに設定された宛先アドレスが自機宛でない場合、ステップＳ３８に進む。
【００７４】
（ステップＳ３３）
リモートコントローラー５１は、通信データに異常通報が含まれるか否かを判定する。リモートコントローラー５１は、通信データに異常通報が含まれる場合、ステップＳ３４に進む。一方、リモートコントローラー５１は、通信データに異常通報が含まれない場合、処理を終了する。
【００７５】
（ステップＳ３４）
リモートコントローラー５１は、自機のＬＥＤ点滅タイマー１４６が起動中であるか否かを判定する。リモートコントローラー５１は、自機のＬＥＤ点滅タイマー１４６が起動中である場合、ステップＳ４０に進む。一方、リモートコントローラー５１は、自機のＬＥＤ点滅タイマー１４６が起動中でない場合、ステップＳ３５に進む。
【００７６】
（ステップＳ３５）
リモートコントローラー５１は、ＬＥＤ、すなわち、表示部（ＬＥＤ）１４４の点滅を開始させる。具体的には、リモートコントローラー５１は、ＬＥＤ点滅タイマー１４６を作動させる。
【００７７】
（ステップＳ３６）
リモートコントローラー５１は、異常解除指令を受信したか否かを判定する。リモートコントローラー５１は、異常解除指令を受信した場合、ステップＳ３７に進む。一方、リモートコントローラー５１は、異常解除指令を受信しない場合、ステップＳ３６に戻る。
【００７８】
例えば、メンテナンス業者が、室外機３１に設けられている通信回路部１５３を復旧させたときには、メンテナンス業者が、操作部１４１を操作することで、リモートコントローラー５１の制御部１４７に異常解除指令が供給される。この結果、ＬＥＤ点滅タイマー１４６は停止し、表示部（ＬＥＤ）１４４は点滅表示を停止する。
【００７９】
（ステップＳ３７）
リモートコントローラー５１は、ＬＥＤ、すなわち、表示部（ＬＥＤ）１４４の点滅を停止させ、処理を終了する。
【００８０】
（ステップＳ３８）
リモートコントローラー５１は、通信データに異常通報が含まれるか否かを判定する。リモートコントローラー５１は、通信データに異常通報が含まれる場合、ステップＳ３９に進む。一方、リモートコントローラー５１は、通信データに異常通報が含まれない場合、処理を終了する。
【００８１】
（ステップＳ３９）
リモートコントローラー５１は、自機のＬＥＤ点滅タイマー１４６が起動中であるか否かを判定する。リモートコントローラー５１は、自機のＬＥＤ点滅タイマー１４６が起動中である場合、ステップＳ４０に進む。一方、リモートコントローラー５１は、自機のＬＥＤ点滅タイマー１４６が起動中でない場合、処理を終了する。
【００８２】
例えば、リモートコントローラー５１ａが異常通報を受信し、リモートコントローラー５１ａの表示部（ＬＥＤ）１４４が点滅している場合には、リモートコントローラー５１ｂ〜リモートコントローラー５１ｄも異常通報を受信しているので、リモートコントローラー５１ａ〜リモートコントローラー５１ｄのそれぞれに設けられている表示部（ＬＥＤ）１４４は点滅している。
【００８３】
そして、リモートコントローラー５１ａが異常通報を受信し、リモートコントローラー５１ａの表示部（ＬＥＤ）１４４が点滅しているときに、室内機４１ｅがさらに新たな通信異常を検出した場合を想定する。この場合、室内機４１ｅと同一グループであるリモートコントローラー５１ｃに異常通報が送信される。また、同一の異常通報は、リモートコントローラー５１ａ、リモートコントローラー５１ｂ、及びリモートコントローラー５１ｄのそれぞれにも送信される。
【００８４】
（ステップＳ４０）
リモートコントローラー５１は、ＬＥＤ点滅タイマー１４６をリセットさせ、ステップＳ３６以降の処理を実行する。
【００８５】
この結果、リモートコントローラー５１ａ〜リモートコントローラー５１ｄのそれぞれに設けられ、点滅中である表示部（ＬＥＤ）１４４は、ＬＥＤ点滅タイマー１４６がリセットされるため、リモートコントローラー５１ａ〜リモートコントローラー５１ｄのそれぞれは、点滅タイミングの同期をとることができる。
【００８６】
換言すれば、空調システム１は、設定されたアドレス宛の異常通報だけでなく、異なるグループへの異常通報を受信したときに、各リモートコントローラー５１が内蔵するＬＥＤ点滅タイマー１４６をリセットする。よって、空調システム１は、システム内のリモートコントローラー５１のそれぞれのＬＥＤ点滅タイマー１４６の同期を取っているため、システム内のリモートコントローラー５１のそれぞれの表示部（ＬＥＤ）１４４の点滅タイミングを合わせることができる。
【００８７】
以上の説明から、空調システム１は、空調システム内に設置されているリモートコントローラー５１の表示部（ＬＥＤ）１４４の点滅タイミングを同期させることができる。よって、空調システム１は、複数のリモートコントローラー５１のそれぞれが補正トリガとなる補正信号、例えば、異常通報を受信した場合に、表示部（ＬＥＤ）１４４の点滅周期を一致させることで効果的な注意喚起を行うことができる。
【００８８】
以上、本実施の形態１においては、室外機３１と、室外機３１との間で、通信線７１を介して、第１の信号を送受信する複数の室内機４１と、複数の室内機４１との間で、通信線７１を介して、第２の信号を送受信する複数のリモートコントローラー５１と、を備えた空調システム１であって、複数のリモートコントローラー５１の少なくとも２つ以上は、隣接して配置され、複数のリモートコントローラー５１のそれぞれは、予め設定された点滅タイミングに基づいて点滅する表示部（ＬＥＤ）１４４と、表示部（ＬＥＤ）１４４を制御する制御部１４７と、を備え、複数のリモートコントローラー５１のそれぞれに、第２の信号として、点滅タイミングの補正トリガとなる補正信号が伝送され、制御部１４７は、補正信号を受信した場合、点滅タイミングを補正する空調システム１が構成される。
【００８９】
上記構成のため、空調システム１は、空調システム内に設置されているリモートコントローラー５１の表示部（ＬＥＤ）１４４の点滅タイミングを同期させることができる。よって、空調システム１は、複数のリモートコントローラー５１のそれぞれが補正トリガとなる補正信号、例えば、異常通報を受信した場合に、表示部（ＬＥＤ）１４４の点滅周期を一致させることで効果的な注意喚起を行うことができる。
【００９０】
また、本実施の形態１においては、制御部１４７は、点滅タイミングの補正トリガとなる補正信号として、複数の室内機４１の何れかから、室外機３１との間の通信異常を示すデータが含まれる異常通報を受信した場合、点滅タイミングとして設定されている前記表示部のＬＥＤ点滅タイマー１４６をリセットする。
【００９１】
また、本実施の形態１においては、制御部１４７は、異常通報を受信時に、表示部（ＬＥＤ）１４４のＬＥＤ点滅タイマー１４６が起動中である場合、表示部（ＬＥＤ）１４４のＬＥＤ点滅タイマー１４６をリセットする。
【００９２】
また、本実施の形態１においては、複数の室内機４１のそれぞれは、室外機３１との間で、第１の信号の送受信が実行されない場合、通信線７１で通信の異常があると判断し、複数のリモートコントローラー５１のそれぞれに、前記室外機との間の通信異常を示すデータが含まれる異常通報を送信する。
【００９３】
したがって、空調システム１は、空調システム内に設置されているリモートコントローラー５１の表示部（ＬＥＤ）１４４の点滅タイミングを同期させることができる。よって、空調システム１は、複数のリモートコントローラー５１のそれぞれが補正トリガとなる補正信号、例えば、異常通報を受信した場合に、表示部（ＬＥＤ）１４４の点滅周期を一致させることで特に顕著に効果的な注意喚起を行うことができる。
【００９４】
実施の形態２．
実施の形態１との相違点は、点滅タイミングの補正トリガとなる補正信号が、実施の形態１では、複数の室内機４１の何れかから送信される異常通報であったが、実施の形態２では、集中管理コントローラー６１から送信される点滅タイマーリセット信号である点にある。つまり、実施の形態２においては、ＬＥＤ点滅タイマー１４６が、専用コマンドでリセットされる一例について説明する。
【００９５】
図９は、本発明の実施の形態２における空調システム１の概略構成の一例を示す図である。図９に示すように、空調システム１は、１階フロア１４には、実施の形態１で説明した構成と同様なシステムが構築され、室外機３１ａと、室内機４１ａ〜室内機４１ｈと、リモートコントローラー５１ａ〜リモートコントローラー５１ｄとが、通信線７１を介して接続されている。
【００９６】
空調システム１は、２階フロア１５には、室外機３１ｂと、室内機４１ｉ〜室内機４１ｐと、リモートコントローラー５１ｅ〜リモートコントローラー５１ｈとが、通信線７２を介して接続されている。２階フロア１５には、各空調エリアに応じて、第５グループ２５、第６グループ２６、第７グループ２７、及び第８グループ２８が割り当てられている。
【００９７】
第５グループ２５には、室内機４１ｉ、室内機４１ｊ、及びリモートコントローラー５１ｅが割り当てられている。第６グループ２６には、室内機４１ｋ、室内機４１ｌ、及びリモートコントローラー５１ｆが割り当てられている。第７グループ２７には、室内機４１ｍ、室内機４１ｎ、及びリモートコントローラー５１ｇが割り当てられている。第８グループ２８には、室内機４１ｏ、室内機４１ｐ、及びリモートコントローラー５１ｈが割り当てられている。なお、室内機４１ｉ〜室内機４１ｐのそれぞれは、室外機３１ｂを共通の空調機器として配設されている。
【００９８】
なお、室外機３１ｂ、室内機４１ｉ〜室内機４１ｐ、及びリモートコントローラー５１ｅ〜リモートコントローラー５１ｈのそれぞれの機能構成並びに通信線７２における通信プロトコルは、室外機３１ａ、室内機４１ａ〜室内機４１ｈ、及びリモートコントローラー５１ａ〜リモートコントローラー５１ｄのそれぞれの機能構成並びに通信線７１における通信プロトコルと同様であるため、ここではその説明については省略する。
【００９９】
空調システム１は、地下１階フロア（管理室）１３には、集中管理コントローラー６１が設けられている。集中管理コントローラー６１は、通信線７３を介して、室外機３１ａ及び室外機３１ｂのそれぞれと接続されている。通信線７３における通信プロトコルは、通信線７１及び通信線７２のそれぞれにおける通信プロトコルと同様である。
【０１００】
よって、通信線７１、通信線７２、及び通信線７３の何れかに流されている通信フレームは、自機宛でなかったとしても、空調システム１の各空調機器、例えば、室外機３１ａ、室外機３１ｂ、室内機４１ａ〜室内機４１ｐ、リモートコントローラー５１ａ〜リモートコントローラー５１ｈ、及び集中管理コントローラー６１のそれぞれが受信することができる。
【０１０１】
例えば、集中管理コントローラー６１は、通信線７１、通信線７２、及び通信線７３の何れかに流されている通信フレームを受信し、受信した通信フレームの送信内容に異常通報が含まれている場合、予め設定された送信周期で、例えば、１０分間隔で、リモートコントローラー５１に設けられているＬＥＤ点滅タイマー１４６をリセットするＬＥＤ点滅タイマーリセット信号を送信する。
【０１０２】
具体的には、室外機３１ａに設けられている通信回路部１５３が故障したとする。通信回路部１５３が故障しているため、室外機３１ａは、室内機４１ａから要求通信があったとしても、応答通信を送信することができなくなっている。よって、室内機４１ａには、室外機３１ａからの応答通信が送信されなくなるため、室内機４１ａは、室外機３１ａからの応答待ち状態に遷移する。室内機４１ａは、応答待ち状態が、予め設定された応答待ち時間、例えば、１２ｓｅｃ経過すると、再度、室外機３１ａに要求通信を実行する。
【０１０３】
この後、予め設定された再送回数に再度の要求通信の回数が達した場合であっても、室外機３１ａから室内機４１ａに応答通信がなければ、室内機４１ａは、通信異常を検出する。次に、室内機４１ａは、ユーザーに異常が生じていることを報知するために、通信線７１を介して、同一グループである第１グループ２１に設定されているリモートコントローラー５１ａに異常通報を送信する。この後、集中管理コントローラー６１は、通信線７１及び通信線７３を介して、異常通報を受信することで、リモートコントローラー５１ａにＬＥＤ点滅タイマーリセット信号を送信周期が到来する度に送信する。
【０１０４】
このとき、空調システム１内の空調機器のそれぞれは、ＬＥＤ点滅タイマーリセット信号を受信することができる。例えば、リモートコントローラー５１ｂ〜リモートコントローラー５１ｄは、ＬＥＤ点滅タイマーリセット信号を受信することができる。よって、空調システム１は、リモートコントローラー５１ｂ〜リモートコントローラー５１ｄのそれぞれに設けられているＬＥＤ点滅タイマー１４６をリセットすることができる。よって、空調システム１は、ＬＥＤ点滅タイマー１４６の同期を取ることができるため、点滅タイミングを合わせることができる。
【０１０５】
また、室外機３１ａと、室内機４１ｂ〜室内機４１ｈの何れかとが通信できなくなった場合についても、室内機４１ｂ〜室内機４１ｈのそれぞれは、自機と同一グループに設定されているリモートコントローラー５１に異常通報を送信する。よって、上記で説明したように、いずれのリモートコントローラー５１であっても、点滅タイミングを合わせることができる。
【０１０６】
例えば、室内機４１ｃが通信異常を検出した場合には、室内機４１ｃは、リモートコントローラー５１ａに異常通報を送信する。また、室内機４１ｈが通信異常を検出した場合には、室内機４１ｈは、リモートコントローラー５１ｄに異常通報を送信する。何れの場合においても、室内機４１ａ〜室内機４１ｈの何れかが通信異常を検出した場合には、同一のグループのリモートコントローラー５１に異常通報が送信されるが、上記で説明したように、通信線７１上に流れている異常通報は、リモートコントローラー５１ａ〜リモートコントローラー５１ｄの何れであっても受信できるため、各リモートコントローラー５１の点滅タイミングを同期する処理をすることができるのである。
【０１０７】
なお、室外機３１ａ及び室外機３１ｂのそれぞれを特に区別しない場合、室外機３１と称する。また、室内機４１ａ〜室内機４１ｐのそれぞれを特に区別しない場合、室内機４１と称する。また、リモートコントローラー５１ａ〜リモートコントローラー５１ｈのそれぞれを特に区別しない場合、リモートコントローラー５１と称する。
【０１０８】
換言すれば、図９に示す空調システム１は、複数台の室外機３１、複数台の室内機４１、複数台のリモートコントローラー５１、及び集中管理コントローラー６１を備えている。
【０１０９】
図１０は、本発明の実施の形態２における制御部１４７の機能構成の一例を示す図である。実施の形態１における制御部１４７との相違点は、ＬＥＤ点滅タイマーリセット信号判定部２１１が設けられている点である。ＬＥＤ点滅タイマーリセット信号判定部２１１は、通信データを受信した場合、通信データに含まれる送信内容にＬＥＤ点滅タイマーリセット信号があるか否かを判定する。ＬＥＤ点滅タイマーリセット信号判定部２１１は、受信した通信データにＬＥＤ点滅タイマーリセット信号が含まれる場合、その旨を、例えば、１が設定された専用コマンドフラグをＬＥＤ点滅タイマー起動判定部２０５に供給する。
【０１１０】
ＬＥＤ点滅タイマー起動判定部２０５は、受信した通信データにＬＥＤ点滅タイマーリセット信号が含まれる場合、自機のＬＥＤ点滅タイマー１４６が起動中であるか否かを判定する。ＬＥＤ点滅タイマー制御部２０７は、受信した通信データにＬＥＤ点滅タイマーリセット信号が含まれ、自機のＬＥＤ点滅タイマー１４６が起動中であれば、ＬＥＤ点滅タイマー１４６をリセットするリセット指令を自機のＬＥＤ点滅タイマー１４６に供給する。
【０１１１】
例えば、ＬＥＤ点滅タイマー制御部２０７は、上記で説明した各種フラグ、具体的には、専用コマンドフラグが１であって、起動フラグが１である場合には、ＬＥＤ点滅タイマー１４６をリセットさせるリセット指令を自機のＬＥＤ点滅タイマー１４６に供給する。
【０１１２】
図１１は、本発明の実施の形態２における空調システム１の動作例を説明するフローチャートである。なお、室内機４１の異常通報処理については、図８で説明した処理と同様であるため、その説明については省略する。
【０１１３】
（集中管理コントローラー６１のＬＥＤ点滅タイマーリセット信号送信処理）
（ステップＳ６１）
集中管理コントローラー６１は、通信データを受信したか否かを判定する。集中管理コントローラー６１は、通信データを受信した場合、ステップＳ６２に進む。一方、集中管理コントローラー６１は、通信データを受信しない場合、ステップＳ６１に戻る。
【０１１４】
（ステップＳ６２）
集中管理コントローラー６１は、通信データに異常通報が含まれるか否かを判定する。集中管理コントローラー６１は、通信データに異常通報が含まれる場合、ステップＳ６３に進む。一方、集中管理コントローラー６１は、通信データに異常通報が含まれない場合、ステップＳ６１に戻る。
【０１１５】
（ステップＳ６３）
集中管理コントローラー６１は、ＬＥＤ点滅タイマーリセット信号を送信する。
【０１１６】
（ステップＳ６４）
集中管理コントローラー６１は、送信周期が到来したか否かを判定する。集中管理コントローラー６１は、送信周期が到来した場合、ステップＳ６３に戻る。一方、集中管理コントローラー６１は、送信周期が到来しない場合、ステップＳ６４に戻る。
【０１１７】
（リモートコントローラー５１の制御処理）
（ステップＳ７１）
リモートコントローラー５１は、通信データを受信したか否かを判定する。リモートコントローラー５１は、通信データを受信した場合、ステップＳ７２に進む。一方、リモートコントローラー５１は、通信データを受信しない場合、ステップＳ７１に戻る。
【０１１８】
（ステップＳ７２）
リモートコントローラー５１は、ＬＥＤ点滅タイマーリセット信号であるか否かを判定する。リモートコントローラー５１は、ＬＥＤ点滅タイマーリセット信号である場合、ステップＳ７８に進む。一方、リモートコントローラー５１は、ＬＥＤ点滅タイマーリセット信号でない場合、ステップＳ７３に進む。
【０１１９】
（ステップＳ７３）
リモートコントローラー５１は、通信データに設定された宛先アドレスが自機宛であるか否かを判定する。リモートコントローラー５１は、通信データに設定された宛先アドレスが自機宛である場合、ステップＳ７４に進む。一方、リモートコントローラー５１は、通信データに設定された宛先アドレスが自機宛でない場合、処理を終了する。
【０１２０】
（ステップＳ７４）
リモートコントローラー５１は、通信データに異常通報が含まれるか否かを判定する。リモートコントローラー５１は、通信データに異常通報が含まれる場合、ステップＳ７５に進む。一方、リモートコントローラー５１は、通信データに異常通報が含まれない場合、処理を終了する。
【０１２１】
（ステップＳ７５）
リモートコントローラー５１は、ＬＥＤ、すなわち、表示部（ＬＥＤ）１４４の点滅を開始させる。具体的には、リモートコントローラー５１は、ＬＥＤ点滅タイマー１４６を作動させる。
【０１２２】
（ステップＳ７６）
リモートコントローラー５１は、異常解除指令を受信したか否かを判定する。リモートコントローラー５１は、異常解除指令を受信した場合、ステップＳ７７に進む。一方、リモートコントローラー５１は、異常解除指令を受信しない場合、ステップＳ７６に戻る。
【０１２３】
（ステップＳ７７）
リモートコントローラー５１は、ＬＥＤ、すなわち、表示部（ＬＥＤ）１４４の点滅を停止させ、処理を終了する。
【０１２４】
（ステップＳ７８）
リモートコントローラー５１は、自機のＬＥＤ点滅タイマー１４６が起動中であるか否かを判定する。リモートコントローラー５１は、自機のＬＥＤ点滅タイマー１４６が起動中である場合、ステップＳ７９に進む。一方、リモートコントローラー５１は、自機のＬＥＤ点滅タイマー１４６が起動中でない場合、処理を終了する。
【０１２５】
（ステップＳ７９）
リモートコントローラー５１は、ＬＥＤ点滅タイマー１４６をリセットさせ、ステップＳ７６以降の処理を実行する。
【０１２６】
上記の説明から、異常報知を受信した複数のリモートコントローラー５１が、集中管理コントローラー６１から定期的に送信されるＬＥＤ点滅タイマーリセット信号を受信することで、ＬＥＤ点滅タイマー１４６をリセットする。よって、同一システム内のリモートコントローラー５１は、ＬＥＤ点滅タイマー１４６の同期を取ることができるため、同一システム内のリモートコントローラー５１の表示部（ＬＥＤ）１４４の点滅タイミングを合わせることができる。
【０１２７】
以上、本実施の形態２において、室外機３１と、複数の室内機４１とを管理する集中管理コントローラー６１を備え、制御部１４７は、表示部（ＬＥＤ）１４４のＬＥＤ点滅タイマー１４６が、点滅タイミングとして設定され、補正信号として、集中管理コントローラー６１から、表示部（ＬＥＤ）１４４のＬＥＤ点滅タイマー１４６をリセットする点滅タイマーリセット信号を受信した場合、表示部（ＬＥＤ）１４４のＬＥＤ点滅タイマー１４６をリセットする。
【０１２８】
また、本実施の形態２においては、集中管理コントローラー６１は、複数の室内機４１の何れかが、室外機３１との間の通信異常を示すデータが含まれる異常通報を通信線７１に流したことを検出した場合、点滅タイマーリセット信号を複数のリモートコントローラー５１のそれぞれに送信する。
【０１２９】
上記構成のため、空調システム１は、空調システム内に設置されているリモートコントローラー５１のＬＥＤ点滅タイミングを同期させることができる。よって、空調システム１は、複数のリモートコントローラー５１のそれぞれが補正トリガとなる補正信号、例えば、表示部（ＬＥＤ）１４４の点滅タイマーリセット信号を受信した場合に、表示部（ＬＥＤ）１４４の点滅周期を一致させることで効果的な注意喚起を行うことができる。
【０１３０】
実施の形態３．
実施の形態１及び実施の形態２との相違点は、点滅タイミングの補正トリガとなる補正信号が、実施の形態１では、複数の室内機４１の何れかから送信される異常通報であり、実施の形態２では、集中管理コントローラー６１から送信される点滅タイマーリセット信号であったが、実施の形態３では、集中管理コントローラー６１から送信される時刻通報である点にある。なお、実施の形態３における空調システム１の構成は、実施の形態２における空調システム１の構成と同様とし、制御部１４７の機能構成が異なると想定する。
【０１３１】
ここで、補正トリガを時刻通報で行う前提条件を説明する。概略的には、集中管理コントローラー６１は、予め設定された送信周期、例えば、１時間間隔で、つまり、定期的に、時刻通報を各空調機器に行っている。時刻通報は、システム内に接続されている各空調機器の時刻の同期を取るために送信される通信データである。例えば、時刻通報は、リモートコントローラー５１の表示部（液晶）１４３に表示する時刻を補正するために利用される。また、時刻通報は、リモートコントローラー５１で設定されるスケジュール運転において、運転状態を切り替える時刻の設定に利用される。
【０１３２】
そこで、定期的に送信される時刻通報を利用することで、表示部（ＬＥＤ）１４４の点滅タイミングを同期させる処理が、実施の形態３における動作となる。次に、図１２及び図１３を用いてその詳細について説明する。
【０１３３】
図１２は、本発明の実施の形態３における制御部１４７の機能構成の一例を示す図である。実施の形態１及び実施の形態２における制御部１４７との相違点は、時刻通報判定部２１３が設けられ、ＬＥＤ点滅タイマー制御部２０７に時刻判定部２１５が設けられている点である。
【０１３４】
時刻通報判定部２１３は、受信した通信データの送信内容に時刻通報が含まれているか否かを判定する。時刻通報判定部２１３は、受信した通信データの送信内容に時刻通報が含まれていれば、その旨を、例えば、１が設定された時刻フラグを、ＬＥＤ点滅タイマー起動判定部２０５と、ＬＥＤ点滅タイマー制御部２０７とに供給する。また、時刻通報判定部２１３は、ＬＥＤ点滅タイマー制御部２０７には、受信した通信データに含まれる時刻通報についても供給する。
【０１３５】
なお、時刻通報判定部２１３は、受信した通信データに時刻通報が含まれている旨をＬＥＤ点滅タイマー制御部２０７に伝達し、時刻通報についてＬＥＤ点滅タイマー制御部２０７に供給することで、ＬＥＤ点滅タイマー制御部２０７に時刻補正指令を供給することになる。
【０１３６】
ＬＥＤ点滅タイマー起動判定部２０５は、受信した通信データに時刻通報が含まれている場合には、ＬＥＤ点滅タイマー１４６が起動中であるか否かをＬＥＤ点滅タイマー制御部２０７から取得する。ＬＥＤ点滅タイマー起動判定部２０５は、ＬＥＤ点滅タイマー１４６が起動中であれば、時刻判定部２１５に点滅制御指令を供給する。
【０１３７】
時刻判定部２１５は、時刻補正指令が供給された場合、時刻を補正する。また、時刻判定部２１５は、受信した通信データに時刻通報が含まれ、自機のＬＥＤ点滅タイマー１４６が起動中であれば、表示部（ＬＥＤ）１４４を制御することで、点滅制御を実行する。例えば、時刻判定部２１５は、上記で説明した各種フラグ、具体的には、時刻フラグが１であって、起動フラグが１である場合には、表示部（ＬＥＤ）１４４を点滅制御する指令として、点灯指令と、消灯指令とを自機の表示部（ＬＥＤ）１４４に交互に供給する。
【０１３８】
さらに具体的には、時刻判定部２１５は、補正後の現在時刻を意味する補正時刻の秒数が、奇数秒であれば、点灯指令を自機の表示部（ＬＥＤ）１４４に供給し、偶数秒であれば、消灯指令を自機の表示部（ＬＥＤ）１４４に供給する。なお、上記の説明では、奇数秒であれば、点灯指令であって、偶数秒であれば、消灯指令である一例について説明したが、特にこれに限定されない。
【０１３９】
例えば、時刻判定部２１５は、補正後の現在時刻を意味する補正時刻の秒数が、奇数秒であれば、消灯指令を自機の表示部（ＬＥＤ）１４４に供給し、偶数秒であれば、点灯指令を自機の表示部（ＬＥＤ）１４４に供給してもよい。また、奇数秒及び偶数秒ではなく、消灯指令を供給するタイミングと、点灯指令を供給するタイミングとが、補正時刻に同期するようにしてもよい。
【０１４０】
例えば、時刻判定部２１５は、補正時刻に同期して定まる第１設定間隔と、補正時刻に同期して定まる第２設定間隔とを設定する。次に、時刻判定部２１５は、第１設定間隔に基づいて、表示部（ＬＥＤ）１４４に点灯指令を供給することで、表示部（ＬＥＤ）１４４を点灯させ、第２設定間隔に基づいて、表示部（ＬＥＤ）１４４に消灯指令を供給することで、表示部（ＬＥＤ）１４４を消灯させてもよい。
【０１４１】
具体的には、第１設定間隔として、３秒間、第２設定間隔として、０．５秒間が設定されていると想定する。この場合、３秒間だけ点灯させ、次に、０．５秒間だけ消灯させるといった動作が繰り返される。このような設定がされることで、任意の間隔だけ点灯時間及び消灯時間が設定される。
【０１４２】
図１３は、本発明の実施の形態３における空調システム１の動作例を説明するフローチャートである。なお、室内機４１の異常通報処理については、図８で説明した処理と同様であるため、その説明については省略する。
【０１４３】
（集中管理コントローラー６１の時刻通報処理）
（ステップＳ１０１）
集中管理コントローラー６１は、送信周期が到来したか否かを判定する。集中管理コントローラー６１は、送信周期が到来した場合、ステップＳ１０２に進む。一方、集中管理コントローラー６１は、送信周期が到来しない場合、ステップＳ１０１に戻る。なお、ここでいう送信周期は、実施の形態２で説明した送信周期と異なるものとする。
【０１４４】
（ステップＳ１０２）
集中管理コントローラー６１は、時刻通報を含めた通信データを送信し、ステップＳ１０１に戻る。
【０１４５】
（リモートコントローラー５１の制御処理）
（ステップＳ１１１）
リモートコントローラー５１は、通信データを受信したか否かを判定する。リモートコントローラー５１は、通信データを受信した場合、ステップＳ１１２に進む。一方、リモートコントローラー５１は、通信データを受信しない場合、ステップＳ１１１に戻る。
【０１４６】
（ステップＳ１１２）
リモートコントローラー５１は、通信データに時刻通報が含まれるか否かを判定する。リモートコントローラー５１は、通信データに時刻通報が含まれる場合、ステップＳ１２１に進む。一方、リモートコントローラー５１は、通信データに時刻通報が含まれない場合、ステップＳ１１３に進む。
【０１４７】
（ステップＳ１１３）
リモートコントローラー５１は、通信データに設定された宛先アドレスが自機宛であるか否かを判定する。リモートコントローラー５１は、通信データに設定された宛先アドレスが自機宛である場合、ステップＳ１１４に進む。一方、リモートコントローラー５１は、通信データに設定された宛先アドレスが自機宛でない場合、処理を終了する。
【０１４８】
（ステップＳ１１４）
リモートコントローラー５１は、通信データに異常通報が含まれるか否かを判定する。リモートコントローラー５１は、通信データに異常通報が含まれる場合、ステップＳ１１５に進む。一方、リモートコントローラー５１は、通信データに異常通報が含まれない場合、処理を終了する。
【０１４９】
（ステップＳ１１５）
リモートコントローラー５１は、ＬＥＤ、すなわち、表示部（ＬＥＤ）１４４の点滅を開始させる。具体的には、リモートコントローラー５１は、ＬＥＤ点滅タイマー１４６を作動させる。
【０１５０】
なお、ステップＳ１１６の処理〜ステップＳ１１８の処理が点滅制御処理である。
（ステップＳ１１６）
リモートコントローラー５１は、現在時刻の秒数が奇数秒又は偶数秒の何れであるかを判定する。リモートコントローラー５１は、現在時刻の秒数が奇数秒である場合、ステップＳ１１７に進む。一方、リモートコントローラー５１は、現在時刻の秒数が偶数秒である場合、ステップＳ１１８に進む。
【０１５１】
（ステップＳ１１７）
リモートコントローラー５１は、ＬＥＤ、すなわち、表示部（ＬＥＤ）１４４を点灯させる。
【０１５２】
（ステップＳ１１８）
リモートコントローラー５１は、ＬＥＤ、すなわち、表示部（ＬＥＤ）１４４を消灯させる。
【０１５３】
（ステップＳ１１９）
リモートコントローラー５１は、異常解除指令を受信したか否かを判定する。リモートコントローラー５１は、異常解除指令を受信した場合、ステップＳ１２０に進む。一方、リモートコントローラー５１は、異常解除指令を受信しない場合、ステップＳ１１６に戻る。
【０１５４】
（ステップＳ１２０）
リモートコントローラー５１は、ＬＥＤ、すなわち、表示部（ＬＥＤ）１４４の点滅を停止させ、処理を終了する。
【０１５５】
（ステップＳ１２１）
リモートコントローラー５１は、時刻を補正する。
【０１５６】
（ステップＳ１２２）
リモートコントローラー５１は、自機のＬＥＤ点滅タイマー１４６が起動中であるか否かを判定する。リモートコントローラー５１は、自機のＬＥＤ点滅タイマー１４６が起動中である場合、ステップＳ１１６以降の処理を実行する。一方、リモートコントローラー５１は、自機のＬＥＤ点滅タイマー１４６が起動中でない場合、処理を終了する。
【０１５７】
上記で説明したように、空調システム１は、定期的に、時刻補正を行い、補正した時刻と同期して表示部（ＬＥＤ）１４４の点滅制御を行うため、表示部（ＬＥＤ）１４４の点滅タイミングを合わせることができる。
【０１５８】
以上、本実施の形態３において、室外機３１と、複数の室内機４１とを管理する集中管理コントローラー６１を備え、制御部１４７は、現在時刻に基づいて、点滅タイミングを生成し、補正信号として、集中管理コントローラー６１から、現在時刻を補正する時刻通報を受信した場合、時刻通報に基づいて、現在時刻を補正する。
【０１５９】
また、本実施の形態３においては、制御部１４７は、現在時刻の秒数が、奇数秒の場合、表示部（ＬＥＤ）１４４を点灯させ、現在時刻の秒数が、偶数秒の場合、表示部（ＬＥＤ）１４４を消灯させる。
【０１６０】
また、本実施の形態３においては、制御部１４７は、現在時刻の秒数が、偶数秒の場合、表示部（ＬＥＤ）１４４を点灯させ、現在時刻の秒数が、奇数秒の場合、表示部（ＬＥＤ）１４４を消灯させる。
【０１６１】
また、本実施の形態３においては、制御部１４７は、現在時刻に同期して定まる第１設定間隔と、現在時刻に同期して定まる第２設定間隔と、を設定し、第１設定間隔と、第２設定間隔とを交互に繰り返させ、第１設定間隔だけ表示部（ＬＥＤ）１４４を点灯させ、第２設定周期だけ表示部（ＬＥＤ）１４４を消灯させる。
【０１６２】
また、本実施の形態３においては、集中管理コントローラー６１は、予め設定された通報周期に基づいて、複数のリモートコントローラー５１のそれぞれに、時刻通報を送信する。
【０１６３】
上記構成のため、空調システム１は、空調システム内に設置されているリモートコントローラー５１の表示部（ＬＥＤ）１４４の点滅タイミングを同期させることができる。よって、空調システム１は、複数のリモートコントローラー５１のそれぞれが補正トリガとなる補正信号、例えば、時刻通報を受信した場合に、表示部（ＬＥＤ）１４４の点滅周期を一致させることで効果的な注意喚起を行うことができる。
【符号の説明】
【０１６４】
１  空調システム、１１  フロア、１３  地下１階フロア（管理室）、１４  １階フロア、１５  ２階フロア、２１  第１グループ、２２  第２グループ、２３  第３グループ、２４  第４グループ、２５  第５グループ、２６  第６グループ、２７  第７グループ、２８  第８グループ、３１、３１ａ、３１ｂ  室外機、４１、４１ａ〜４１ｐ  室内機、５１、５１ａ〜５１ｈ  リモートコントローラー、６１  集中管理コントローラー、７１、７２、７３  通信線、１０１  第１空調エリア、１０２  第２空調エリア、１０３  第３空調エリア、１０４  第４空調エリア、１１１  出入口、１２１  リモートコントローラー設置場所、１４１  操作部、１４２、１５１、１５３  通信回路部、１４３  表示部（液晶）、１４４  表示部（ＬＥＤ）、１４５  水晶振動子、１４６  ＬＥＤ点滅タイマー、１４７  制御部、１４８  記憶部、２０１  アドレス判定部、２０３  異常通報判定部、２０５  ＬＥＤ点滅タイマー起動判定部、２０７  ＬＥＤ点滅タイマー制御部、２０９  異常内容特定部、２１１  ＬＥＤ点滅タイマーリセット信号判定部、２１３  時刻通報判定部、２１５  時刻判定部。
【図１】
2014228259.tif 000003
【図２】
2014228259.tif 000004
【図３】
2014228259.tif 000005
【図４】
2014228259.tif 000006
【図５】
2014228259.tif 000007
【図６】
2014228259.tif 000008
【図７】
2014228259.tif 000009
【図８】
2014228259.tif 000010
【図９】
2014228259.tif 000011
【図１０】
2014228259.tif 000012
【図１１】
2014228259.tif 000013
【図１２】
2014228259.tif 000014
【図１３】
2014228259.tif 000015